(57)【要約】【課題】光源装置の組立工程における発光管を固定する作業を容易にするとともに、発光管の位置決め等の精度を高めて歩留まりの低下を抑えることのできる光源装置を提供すること。【解決手段】本発明の光源装置１０は、光を射出する発光部１５を備える発光管１１と、発光部１５の周囲のうちの一部を覆い、発光部から射出した光を反射させる副反射鏡１３と、発光部から射出した光と、副反射鏡で反射した光とを反射させる主反射鏡１２と、主反射鏡と別体で構成され、主反射鏡が固定されるベース１４と、を有し、ベースには、発光管を位置決めして固定するための発光管固定部１８が形成されている。【選択図】図２
2010192284.tif 000002
【特許請求の範囲】
【請求項１】
光を射出する発光部を備える発光管と、
前記発光部の周囲のうちの一部を覆い、前記発光部から射出した光を反射させる副反射鏡と、
前記発光部から射出した光と、前記副反射鏡で反射した光とを反射させる主反射鏡と、  前記主反射鏡と別体で構成され、前記主反射鏡が固定されるベースと、を有し、
前記ベースには、前記発光管を位置決めして固定するための発光管固定部が形成されていることを特徴とする光源装置。
【請求項２】
前記主反射鏡は、中心軸を中心として所定の曲線を回転させることにより得られる回転曲面を、所定の面で切断することにより得られる曲面と略同じ形状をなし、
前記副反射鏡は、前記発光部に対して前記主反射鏡が設けられた側とは反対側に設けられることを特徴とする請求項１に記載の光源装置。
【請求項３】
前記ベースには、前記主反射鏡を位置決めするための主反射鏡規制部が形成されていることを特徴とする請求項１または２に記載の光源装置。
【請求項４】
前記ベースには、前記副反射鏡を位置決めして固定するための副反射鏡固定部が形成されていることを特徴とする請求項１〜３のいずれか１つに記載の光源装置。
【請求項５】
前記ベースと前記副反射鏡とが一体に形成されていることを特徴とする請求項１〜３のいずれか１つに記載の光源装置。
【請求項６】
請求項１〜５のいずれか１つに記載の光源装置と、
前記光源装置から射出した光を画像信号に応じて変調する空間光変調装置と、を有することを特徴とするプロジェクター。
【請求項７】
光を射出する発光部を備える発光管と、前記発光部の周囲のうちの一部を覆い、前記発光部から射出した光を反射させる副反射鏡と、前記発光部から射出した光と前記副反射鏡で反射した光とを反射させる主反射鏡と、を有する光源装置の製造方法であって、
前記主反射鏡と別体で構成されたベースに形成された、前記発光管を位置決めして固定するための発光管固定部に前記発光管を固定するステップと、
前記主反射鏡を前記ベースに固定するステップと、を含むことを特徴とする光源装置の製造方法。
【請求項８】
前記ベースに形成された、前記副反射鏡を位置決めして固定するための副反射鏡固定部に前記副反射鏡を固定するステップをさらに含むことを特徴とする請求項７に記載の光源装置の製造方法。
【発明の詳細な説明】
【技術分野】
【０００１】
本発明は、光源装置、プロジェクターおよび光源装置の製造方法、特にリフレクターを有する光源装置の技術に関する。
【背景技術】
【０００２】
プロジェクターの光源として使用されるランプ、例えば超高圧水銀ランプ等の放電ランプには、発光管から射出した光を反射させるリフレクター（反射鏡）が用いられている。プロジェクターにより効率良く明るい画像を得るために、従来、発光管から射出した光の利用効率を高めるための光源装置の構成が提案されている。例えば、主反射鏡としてのリフレクターとは別に、発光管の一部を覆う副反射鏡を設ける技術が提案されている（例えば、特許文献１参照）。副反射鏡で反射した光は、発光管を通過した後、主反射鏡に入射して前側へ向けて反射する。これにより、光源装置からの光を利用する光学系へ、発光管から射出した光を効率良く進行させつつ光源装置の薄型化も図ることが可能となる。
【先行技術文献】
【特許文献】
【０００３】
【特許文献１】特開２００１−１０９０６８号公報
【発明の概要】
【発明が解決しようとする課題】
【０００４】
しかしながら、光源装置が薄型化すると、発光管を収容する空間も狭くなる。発光管を収容する空間が狭くなれば、光源装置の組立工程において発光管の固定作業が困難になるという問題が生じる。また、狭い空間内で発光管の固定作業を行えば、発光管の位置決め等の精度も低下し、歩留まりが低下してしまうという問題も生じる。
【０００５】
本発明は、上述の問題に鑑みてなされたものであり、光源装置の組立工程における発光管を固定する作業を容易にするとともに、発光管の位置決め等の精度を高めて歩留まりの低下を抑えることのできる光源装置、その光源装置を用いたプロジェクターおよび光源装置の製造方法を提供することを目的とする。
【課題を解決するための手段】
【０００６】
上述した課題を解決し、目的を達成するために、本発明は、光を射出する発光部を備える発光管と、発光部の周囲のうちの一部を覆い、発光部から射出した光を反射させる副反射鏡と、発光部から射出した光と、副反射鏡で反射した光とを反射させる主反射鏡と、主反射鏡と別体で構成され、主反射鏡が固定されるベースと、を有し、ベースには、発光管を位置決めして固定するための発光管固定部が形成されていることを特徴とする。
【０００７】
主反射鏡がベースと別体で構成されており、主反射鏡に覆われていない状態のベース上において発光管の固定作業を行うことができるので、作業性を高めることができる。また、ベースに発光管固定部が形成されているので、発光管の固定を容易にし、位置決め精度を高めることができる。これにより、歩留まりの低下を抑えることができる。また、発光管の位置決め精度を高めることで、発光部からの光を効率よく取り出すことができる。
【０００８】
また、本発明の好ましい態様としては、主反射鏡は、中心軸を中心として所定の曲線を回転させることにより得られる回転曲面を、所定の面で切断することにより得られる曲面と略同じ形状をなし、副反射鏡は、発光部に対して主反射鏡が設けられた側とは反対側に設けられることが望ましい。これにより、薄型で、効率良く光を射出可能な光源装置を得られる。
【０００９】
また、本発明の好ましい態様としては、ベースには、主反射鏡を位置決めするための主反射鏡規制部が形成されていることが望ましい。ベースに主反射鏡規制部が形成されているので、主反射鏡の位置決め精度を高めることができる。これにより、歩留まりの低下を抑えることができる。
【００１０】
また、本発明の好ましい態様としては、ベースには、副反射鏡を位置決めして固定するための副反射鏡固定部が形成されていることが望ましい。ベースに副反射鏡固定部が形成されているので、副反射鏡の固定を容易にし、位置決め精度を高めることができる。これにより、歩留まりの低下を抑えることができる。また、副反射鏡が、ベースと別体に構成されているので、副反射鏡とベースとを、それぞれの特性に合わせた異なる材料で形成することができる。例えば、光を精度よく反射させる必要のある副反射鏡には、精度よく形状を形成しやすい材料を用い、ベースには他の材料を用いることができる。
【００１１】
また、本発明の好ましい態様としては、ベースと副反射鏡とが一体に形成されていることが望ましい。ベースと副反射鏡とが一体に形成されているので、光源装置の組立工程において、ベースに副反射鏡を固定する工程を省略することができ、製造コストの抑制を図ることができる。
【００１２】
本発明に係るプロジェクターは、上記光源装置と、光源装置から射出した光を画像信号に応じて変調する空間光変調装置と、を有することを特徴とする。上記の光源装置を用いることで、光源装置の製造コストの抑制により、プロジェクターの製造コストの抑制を図ることができる。また、発光部からの光を効率よく取り出すことで、高輝度の画像を表示できるプロジェクターを得られる。
【００１３】
本発明に係る光源装置の製造方法は、光を射出する発光部を備える発光管と、発光部の周囲のうちの一部を覆い、発光部から射出した光を反射させる副反射鏡と、発光部から射出した光と副反射鏡で反射した光とを反射させる主反射鏡と、を有する光源装置の製造方法であって、主反射鏡と別体で構成されたベースに形成された、発光管を位置決めして固定するための発光管固定部に発光管を固定するステップと、主反射鏡をベースに固定するステップと、を含むことを特徴とする。
【００１４】
ベースを基準として、ベースに発光管等を順次固定していくことで、光源装置が組み立てられる。ベースは、主反射鏡と別体で構成されており、主反射鏡に覆われていない状態のベース上において発光管の固定作業を行うことができるので、光源装置の組立工程の作業性を高めることができる。
【００１５】
また、ベースに形成された発光管固定部に発光管を固定すれば、光源装置における発光管の位置が定まるので、発光管の位置決めを精度よく簡単に行うことができる。また、光源装置における発光管、および主反射鏡の位置が、ベースという単一の部材を基準に定められるので、位置決めの精度を向上することができる。位置決めの精度が向上することで、発光管、主反射鏡の位置関係を適切なものとすることができ、発光部からの光を効率よく取り出すことができる。また、位置決めの簡単化、精度の向上により、光源装置の歩留まりの低下を抑制し、製造コストの抑制を図ることができる。
【００１６】
また、本発明の好ましい態様としては、ベースに形成された、副反射鏡を位置決めして固定するための副反射鏡固定部に副反射鏡を固定するステップをさらに含むことが望ましい。また、ベースに形成された副反射鏡固定部に副反射鏡を固定すれば、光源装置における副反射鏡の位置が定まるので、副反射鏡の位置決めを精度よく簡単に行うことができる。
【図面の簡単な説明】
【００１７】
【図１】本発明の実施例１に係る光源装置の概略構成を示す外観斜視図である。
【図２】光源装置の横断面図である。
【図３】光源装置の分解斜視図である。
【図４】光源装置の組立工程について説明するためのフローチャートおよびその工程を説明するための図である。
【図５】本発明の実施例２に係る光源装置の概略構成を示す横断面図である。
【図６】本発明の実施例３に係るプロジェクターの概略構成を示す図である。
【発明を実施するための形態】
【００１８】
以下に図面を参照して、本発明の実施例を詳細に説明する。
【実施例１】
【００１９】
図１は、本発明の実施例１に係る光源装置１０の概略構成を示す外観斜視図である。図２は、図１に示す光源装置１０の横断面図である。図３は、光源装置１０の分解斜視図である。なお、本願の実施例の説明において、光源装置１０からの光の射出方向に沿う軸をＺ軸とする。Ｚ軸と直交し互いに垂直に交わる軸をＸ軸及びＹ軸とする。また、各軸の矢印方向を正の方向とし、その逆方向を負の方向とする。発光管１１は、例えば、超高圧水銀ランプである。発光管１１の内部は封体１６によって封止されている。封体１６には、例えば石英部材が用いられる。封体１６のうち、前方封止部１６ａと後方封止部１６ｂに挟まれた球状部分は、光を射出する発光部１５である。発光部１５の内部には、一対の電極が配置される放電空間が形成されている。前方封止部１６ａは、発光管１１のうち、発光部１５に対して前側に設けられた円筒形状の部分である。後方封止部１６ｂは、発光管１１のうち、発光部１５に対して後側に設けられた円筒形状の部分である。なお、「前側」とは、光源装置１０からの光の射出側をいうものとし、「後側」とは、発光部１５に対して前側とは反対の側をいうものとする。
【００２０】
主反射鏡１２は、発光部１５から射出した光と、副反射鏡１３で反射した光とを反射させ、前側へ進行させる。主反射鏡１２は、中心軸ＡＸを中心として楕円を回転させることにより得られる回転楕円面を、所定の平面で切断することにより得られる曲面と略同じ形状をなす。発光管１１は、中心軸ＡＸ上に配置されている。本実施例では、所定の平面とは、中心軸ＡＸを含む平面である。なお、所定の平面は、光の利用効率を上げるために、中心軸ＡＸを含む平面以外の面としても良い。所定の平面は、例えば、中心軸ＡＸに平行な平面や、中心軸ＡＸに対して角度を持たせた平面であっても良い。
【００２１】
主反射鏡１２は、所望の形状に成形された基材の表面に高反射性部材、例えば誘電体多層膜や金属部材を蒸着させることにより構成されている。高反射性部材は、可視領域の波長の光について高い反射率である部材を用いる。回転楕円面を切断した形状の主反射鏡１２を用いることにより、光源装置１０は、薄型な構成とすることができる。なお、主反射鏡１２の形状は、回転楕円面を切断することにより得られる曲面と略同じ形状に限られない。例えば、放物線などの所定の曲線を回転させることにより得られる回転曲面を切断することにより得られる曲面と略同じ形状や、自由曲面形状などとしても良い。
【００２２】
副反射鏡１３は、発光部１５から射出した光を発光部１５へ向けて反射させる。副反射鏡１３は、発光部１５の周囲のうち、発光部１５に対して主反射鏡１２が設けられた側とは反対側の部分を覆う。副反射鏡１３と発光部１５との間には、隙間が設けられている。副反射鏡１３の基材には、例えば石英部材が用いられる。副反射鏡１３は、所望の形状に成形された基材の表面に高反射性部材、例えば誘電体多層膜や金属部材を蒸着させることにより構成されている。高反射性部材は、可視領域の波長の光について高い反射率である部材を用いる。主反射鏡１２と副反射鏡１３とを設けることにより、光源装置１０からの光を利用する光学系へ、発光部１５から射出した光を効率良く進行させることが可能となる。
【００２３】
ベース１４は、主反射鏡１２と別体で構成され、発光管１１を挟んで主反射鏡１２の反対側に配置されている。ベース１４には、副反射鏡１３を固定するための副反射鏡固定穴（副反射鏡固定部）１７が形成されている。副反射鏡固定穴１７は、副反射鏡１３の外側面の形状と略同じ形状となっている。副反射鏡１３は、副反射鏡固定穴１７に接着されることで、ベース１４に固定される。副反射鏡１３をベース１４に接着させるための接着剤としては、例えば、セメントやセラミック系の接着剤等を用いる。
【００２４】
ベース１４には、発光管１１を固定するための発光管固定部１８が形成されている。発光管固定部１８は、前方支持部１８ａと後方支持部１８ｂとで構成される。前方支持部１８ａは、発光管１１の前方封止部１６ａを支持する。後方支持部１８ｂは、発光管１１の後方封止部１６ｂを支持する。発光管１１は、前方封止部１６ａおよび後方封止部１６ｂを、前方支持部１８ａと後方支持部１８ｂに接着されることで、ベース１４に固定される。発光管１１をベース１４に接着させるための接着剤としては、例えば、セメントやセラミック系の接着剤等を用いる。
【００２５】
ベース１４には、主反射鏡１２が固定される。ベース１４には、主反射鏡１２が固定される際に、主反射鏡１２を位置決めするための主反射鏡規制部１９が形成されている。主反射鏡１２は、その外側面が主反射鏡規制部１９に接するように固定されることで、適切な位置に配置される。主反射鏡１２は、ベース１４に対して接着剤を用いて接着されて固定されてもよいし、主反射鏡１２に主反射鏡規制部１９が係合して固定されてもよい。
【００２６】
図４は、光源装置１０の組立工程（製造方法）について説明するためのフローチャートおよびその工程を説明するための図である。まず、ベース１４の副反射鏡固定穴１７に対して副反射鏡１３が固定される（ステップＳ１）。次に、ベース１４の発光管固定部１８に対して発光管１１が固定される（ステップＳ２）。次に、ベース１４の主反射鏡規制部１９に主反射鏡１２の外側が接するようにして、ベース１４に主反射鏡１２が固定される（ステップＳ３）。
【００２７】
このように、ベース１４を基準として、ベース１４に副反射鏡１３等を順次固定していくことで、光源装置１０が組み立てられる。ベース１４は、主反射鏡１２と別体で構成されており、しかも、主反射鏡１２を固定する前に副反射鏡１３や発光管１１を固定することができるので、主反射鏡１２に覆われていない広い空間で作業を行うことができる。これにより、光源装置１０の組立工程の作業性を高めることができる。
【００２８】
また、ベース１４に形成された副反射鏡固定穴１７に副反射鏡１３を、発光管固定部１８に発光管１１を固定すれば、光源装置１０における副反射鏡１３および発光管１１の位置が定まるので、各部材の位置決めを簡単に行うことができる。
【００２９】
また、光源装置１０における副反射鏡１３、発光管１１、および主反射鏡１２の位置が、ベース１４という単一の部材を基準に定められるので、位置決めの精度を向上することができる。位置決めの精度が向上することで、発光管１１、主反射鏡１２、副反射鏡１３の位置関係を適切なものとすることができ、発光管１１からの光を効率よく取り出すことができる。また、位置決めの簡単化、精度の向上により、光源装置１０の歩留まりの低下を抑制し、製造コストの抑制を図ることができる。
【００３０】
また、副反射鏡１３が、ベース１４と別体に構成されているので、副反射鏡１３とベース１４とを、それぞれの特性に合わせた異なる材料で形成することができる。例えば、光を精度よく反射させる必要のある副反射鏡１３には、精度よく形状を形成しやすい材料を用い、ベース１４には、他の材料を用いることができる。
【００３１】
なお、本実施例１では、主反射鏡１２を位置決めする主反射鏡規制部１９をベース１４に立設させて形成したが、これに限られない。例えば、主反射鏡１２の縁がはまり込む溝をベース１４に形成してもよい。
【実施例２】
【００３２】
図５は、本発明の実施例２に係る光源装置２０の概略構成を示す横断面図である。上記の実施例１と同一の部分には同一の符号を付し、重複する説明を省略する。本実施例２に係る光源装置２０は、ベース２４に対して副反射鏡２３が一体に形成されている。ベース２４には、実施例１と同様に発光管固定部１８と主反射鏡規制部（図示せず）が形成されている。副反射鏡２３は、ベース２４に対して一体に形成され、発光部１５を覆う反射面２３ａに高反射性部材、例えば誘電体多層膜や金属部材を蒸着させることにより構成されている。高反射性部材は、可視領域の波長の光について高い反射率である部材を用いる。
【００３３】
このように、ベース２４に対して副反射鏡２３が一体に形成されているので、光源装置２０の組立工程において、ベース２４に副反射鏡２３を固定する工程（図４におけるステップＳ１に相当。）を省略することができる。これにより、光源装置２０の製造コストを抑制できる。
【実施例３】
【００３４】
図６は、本発明の実施例３に係るプロジェクター１の概略構成を示す。プロジェクター１は、不図示のスクリーンへ光を投写し、スクリーンで反射する光を観察することで画像を鑑賞するフロント投写型のプロジェクターである。プロジェクター１は、上記実施例１に係る光源装置１０を有する。ここでは、光源装置１０は、図１に示す構成をＹ軸に沿った正の方向側から見た状態を示している。
【００３５】
光源装置１０は、赤色（Ｒ）光、緑色（Ｇ）光、青色（Ｂ）光を含む光を射出する。凹レンズ７８は、光源装置１０から射出した光を平行化させる。第１インテグレーターレンズ６１及び第２インテグレーターレンズ６２は、アレイ状に配列された複数のレンズ素子を有する。第１インテグレーターレンズ６１は、凹レンズ７８からの光束を複数に分割する。第１インテグレーターレンズ６１の各レンズ素子は、凹レンズ７８からの光束を第２インテグレーターレンズ６２のレンズ素子近傍にて集光させる。第２インテグレーターレンズ６２のレンズ素子は、第１インテグレーターレンズ６１のレンズ素子の像を空間光変調装置上に形成する。
【００３６】
２つのインテグレーターレンズ６１、６２を経た光は、偏光変換素子６３にて特定の振動方向の直線偏光に変換される。重畳レンズ６４は、第１インテグレーターレンズ６１の各レンズ素子の像を空間光変調装置上で重畳させる。第１インテグレーターレンズ６１、第２インテグレーターレンズ６２及び重畳レンズ６４は、光源装置１０からの光の強度分布を空間光変調装置上にて均一化させる。重畳レンズ６４からの光は、第１ダイクロイックミラー６５に入射する。第１ダイクロイックミラー６５は、Ｒ光を反射し、Ｇ光及びＢ光を透過させる。第１ダイクロイックミラー６５へ入射したＲ光は、第１ダイクロイックミラー６５、反射ミラー６６でそれぞれ光路が折り曲げられ、Ｒ光用フィールドレンズ６７Ｒへ入射する。Ｒ光用フィールドレンズ６７Ｒは、反射ミラー６６からのＲ光を平行化し、Ｒ光用空間光変調装置６８Ｒへ入射させる。
【００３７】
Ｒ光用空間光変調装置６８Ｒは、Ｒ光を画像信号に応じて変調する空間光変調装置であって、透過型液晶表示装置である。Ｒ光用空間光変調装置６８Ｒに設けられた不図示の液晶パネルは、２つの透明基板の間に、光を画像信号に応じて変調するための液晶層を封入している。Ｒ光用空間光変調装置６８Ｒで変調されたＲ光は、色合成光学系であるクロスダイクロイックプリズム６９へ入射する。
【００３８】
第１ダイクロイックミラー６５を透過したＧ光及びＢ光は、第２ダイクロイックミラー７０へ入射する。第２ダイクロイックミラー７０は、Ｇ光を反射し、Ｂ光を透過させる。第２ダイクロイックミラー７０へ入射したＧ光は、第２ダイクロイックミラー７０で光路が折り曲げられ、Ｇ光用フィールドレンズ６７Ｇへ入射する。Ｇ光用フィールドレンズ６７Ｇは、第２ダイクロイックミラー７０からのＧ光を平行化し、Ｇ光用空間光変調装置６８Ｇへ入射させる。Ｇ光用空間光変調装置６８Ｇは、Ｇ光を画像信号に応じて変調する空間光変調装置であって、透過型液晶表示装置である。Ｇ光用空間光変調装置６８Ｇで変調されたＧ光は、クロスダイクロイックプリズム６９のうちＲ光が入射する面とは異なる面へ入射する。
【００３９】
第２ダイクロイックミラー７０を透過したＢ光は、リレーレンズ７１を透過した後、反射ミラー７２での反射により光路が折り曲げられる。反射ミラー７２からのＢ光は、さらにリレーレンズ７３を透過した後、反射ミラー７４での反射により光路が折り曲げられ、Ｂ光用フィールドレンズ６７Ｂへ入射する。Ｒ光の光路及びＧ光の光路よりもＢ光の光路が長いことから、空間光変調装置における照明倍率を他の色光と等しくするために、Ｂ光の光路には、リレーレンズ７１、７３を用いるリレー光学系が採用されている。
【００４０】
Ｂ光用フィールドレンズ６７Ｂは、反射ミラー７４からのＢ光を平行化し、Ｂ光用空間光変調装置６８Ｂへ入射させる。Ｂ光用空間光変調装置６８Ｂは、Ｂ光を画像信号に応じて変調する空間光変調装置であって、透過型液晶表示装置である。Ｂ光用空間光変調装置６８Ｂで変調されたＢ光は、クロスダイクロイックプリズム６９のうちＲ光が入射する面、Ｇ光が入射する面とは異なる面へ入射する。
【００４１】
クロスダイクロイックプリズム６９は、互いに略直交する２つのダイクロイック膜７５、７６を有する。第１ダイクロイック膜７５は、Ｒ光を反射し、Ｇ光及びＢ光を透過させる。第２ダイクロイック膜７６は、Ｂ光を反射し、Ｒ光及びＧ光を透過させる。クロスダイクロイックプリズム６９は、それぞれ異なる方向から入射したＲ光、Ｇ光及びＢ光を合成し、投写レンズ７７の方向へ射出する。投写レンズ７７は、クロスダイクロイックプリズム６９で合成された光をスクリーンの方向へ投写する。
【００４２】
プロジェクター１は、上記の光源装置１０を用いることで、発光管１１（図１参照）から効率的に光を取り出すことができる。これにより、高輝度の画像を表示することができるプロジェクター１を得られるという効果を奏する。また、光源装置１０の製造コストの抑制により、プロジェクター１自体の製造コストの抑制にも寄与することができる。なお、プロジェクター１は、上記実施例のいずれの光源装置を用いても良い。
【００４３】
プロジェクター１は、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクター１は、色光ごとに空間光変調装置を備える構成に限られない。プロジェクター１は、一の空間光変調装置により２つ又は３つ以上の色光を変調する構成としても良い。プロジェクター１は、空間光変調装置を用いる場合に限られない。プロジェクター１は、画像情報を持たせたスライドを用いるスライドプロジェクタであっても良い。プロジェクター１は、スクリーンの一方の面に光を供給し、スクリーンの他方の面から射出される光を観察することで画像を鑑賞する、いわゆるリアプロジェクタであっても良い。
【産業上の利用可能性】
【００４４】
以上のように、本発明に係る光源装置は、プロジェクターに用いる場合に適している。
【符号の説明】
【００４５】
１  プロジェクター、１０，２０  光源装置、１１  発光管、１２  主反射鏡、１３  副反射鏡、１４  ベース、１５  発光部、１６  封体、１６ａ  前方封止部、１６ｂ  後方封止部、１７  副反射鏡固定穴（副反射鏡固定部）、１８  発光管固定部、１８ａ  前方支持部、１８ｂ  後方支持部、１９  主反射鏡規制部、２３  副反射鏡、２３ａ  反射面、２４  ベース
【図１】
2010192284.tif 000003
【図２】
2010192284.tif 000004
【図３】
2010192284.tif 000005
【図４】
2010192284.tif 000006
【図５】
2010192284.tif 000007
【図６】
2010192284.tif 000008